(57)【要約】【課題】展示ケース内の展示物を斜め上方より十分に照明することができるとともに、ランプの保守点検も容易に行うことができ、しかも、展示ケース内の容積を十分に大きく確保することが可能な展示物照明装置を提供する。【解決手段】展示ケースの天井Ｒに前面側から奥側に沿ってレール部材３が延設され、このレール部材３にはその長手方向に沿ってガイド孔４が形成されており、このガイド孔４に摺動用連結バー６が摺動可能に設けられ、この摺動用連結バー６にリンク部材８とアングル９とを介してランプ２を有する灯具１が連設されている。【選択図】図２
2010033828.tif 000002
【特許請求の範囲】
【請求項１】
観察用のガラスパネルが前面に設けられた展示ケース内に配置される展示物を前記展示ケース内の斜め上方から照明するための展示物照明装置であって、
前記展示ケースの天井に前面側から奥側に沿ってレール部材が延設され、このレール部材にはその長手方向に沿ってガイド孔が形成され、このガイド孔に摺動部材が摺動可能に設けられ、この摺動部材に光源を有する灯具が連設されていることを特徴とする展示物照明装置。
【請求項２】
前記ガイド孔は下方に向けて突出する円弧状に形成されており、前記灯具は前記ガイド孔の径方向外方側に位置するように前記摺動部材に取り付けられていることを特徴とする請求項１記載の展示物照明装置。
【請求項３】
前記灯具は複数設けられるとともに、前記摺動部材同士がリンク部材を介して互いに連結されていることを特徴とする請求項２に記載の展示物照明装置。
【請求項４】
前記灯具は、前記摺動部材に対して揺動可能に固定されていることを特徴とする請求項１ないし請求項３のいずれか１項に記載の展示物照明装置。
【発明の詳細な説明】
【技術分野】
【０００１】
本発明は、例えば美術館や博物館などの展示室において、観察用のガラスパネルが前面に設けられた展示ケース内に配置される美術工芸品や絵画などの展示物を、展示ケース内の斜め上方から照明するための展示物照明装置に関する。
【背景技術】
【０００２】
美術館や博物館などの展示室においては、図７に示すように、通路Ａに沿って観察用のガラスパネルＢが前面に設けられた展示ケースＣが設けられ、この展示ケースＣ内に美術工芸品や絵画などの展示物Ｐが陳列される。そして、このように陳列された展示物Ｐを十分に観察、鑑賞できるように、従来より展示ケースＣ内の天井Ｒに展示物照明装置Ｌを取り付け、上方から斜め下方に向けて展示物Ｐを照明するようにしたものがある。なお、Ｆは展示物照明装置を覆うガラス製のカバー部材である。
【０００３】
ここで、展示ケースＣ内に陳列される美術工芸品や絵画などの展示物Ｐは、大小様々な形状のものがあるので、展示物照明装置Ｌは、展示物Ｐを観察、鑑賞する際の邪魔にならないように、展示ケースＣの天井Ｒ近くに配置することができ、かつ、できるだけ装置全体がコンパクトなサイズであることが望まれる。
【０００４】
ところで、このような展示物照明装置Ｌにおいては、光源となる蛍光灯や白熱灯などのランプＬ１の故障や、掃除、その他の保守点検が必要となる。このような保守点検に際して、例えばガラスパネルＢを開放して展示ケースＣ内から手を差し入れてランプＬ１の交換等を行う場合には、その際に貴重な展示物Ｐを損傷する恐れが生じるために好ましくない。そこで、従来は、展示ケースＣの前面の天井Ｒ近傍に保守点検用の開閉扉Ｄを設け、この開閉扉Ｄを開くことでランプＬ１の交換などを行うようにしている。
【０００５】
しかし、従来は、上方から斜め下方に向けて展示物Ｐを照明できるように、ランプＬ１の配光用の灯具Ｌ２が展示ケースＣの奥側に傾斜して取り付けられているため、開閉扉Ｄを開いた場合でもランプＬ１の交換が難しい。ランプ交換の利便性を高める上では、灯具Ｌ２が垂直方向から展示ケースＣの外方側に向くようにすればよいが、そうすると、展示物Ｐを十分に照明することができなくなり、本来の照明目的が損なわれてしまう。
【０００６】
その他の従来技術では、例えば、展示ケースとして、ケース内部の展示物を前面上方からガラス越しに覗き込む形式のものを対象として、展示ケースの天井部分にメンテナンス用扉を開閉可能に設け、このメンテナンス用扉の内面に展示ケース内を照明するランプを取り付け、ランプ交換等を行う際には、このメンテナンス用扉を跳ね上げて開放することにより、ランプを外部に露出させて保守点検を行えるようにしたものが提案されている（例えば、下記の特許文献１参照）。
【特許文献１】実公平０６−０４６３７２号公報
【発明の開示】
【発明が解決しようとする課題】
【０００７】
しかし、上記の特許文献１記載の従来技術では、ランプ交換の際にはメンテナンス用扉を上方に跳ね上げて開放する必要があるため、展示ケースの上方にはメンテナンス用扉を跳ね上げることが可能なだけの作動空間を確保することが必要であり、その分、展示ケースの高さが低く抑えられてしまう。その結果、大きな寸法の展示物を陳列することができなくなり、展示物に対して余分な制約が加わる。
【０００８】
本発明は、上記の課題を解決するためになされたもので、展示物を観察、鑑賞する際の邪魔にならずに展示物を十分に照明することができるとともに、ランプの保守点検も容易に行うことができ、しかも、展示ケースの高さや容積を十分に大きく確保することができる展示物照明装置を提供することを目的とする。
【課題を解決するための手段】
【０００９】
上記の目的を達成するために、観察用のガラスパネルが前面に設けられた展示ケース内に配置される展示物を前記展示ケース内の斜め上方から照明するための展示物照明装置において、次の構成を採用している。
【００１０】
すなわち、請求項１記載の発明に係る展示物照明装置は、前記展示ケースの天井に前面側から奥側に沿ってレール部材が延設され、このレール部材にはその長手方向に沿ってガイド孔が形成され、このガイド孔に摺動部材が摺動可能に設けられ、この摺動部材に光源を有する灯具が連設されていることを特徴としている。
【００１１】
また、請求項２記載の発明に係る展示物照明装置は、請求項１記載の発明の構成において、前記ガイド孔は下方に向けて突出する円弧状に形成されており、前記灯具は前記ガイド孔の径方向外方側に位置するように前記摺動部材に取り付けられていることを特徴としている。
【００１２】
また、請求項３記載の発明に係る展示物照明装置は、請求項２記載の発明の構成において、前記灯具は複数設けられるとともに、前記摺動部材同士がリンク部材を介して互いに連結されていることを特徴としている。
【００１３】
また、請求項４記載の発明に係る展示物照明装置は、請求項１ないし請求項３のいずれか１項に記載の発明の構成において、前記灯具は、前記摺動部材に対して揺動可能に固定されていることを特徴としている。
【発明の効果】
【００１４】
請求項１記載の発明によれば、光源となる蛍光灯や白熱灯などのランプの保守点検を行う際には、展示ケースの前面の天井近傍に設けられた保守点検用の開閉扉を開き、灯具を摺動部材とともにレール部材のガイド孔に沿って展示ケースの手前側に摺動させて引き寄せることにより、容易にランプの保守点検を行うことができる。保守点検後は、灯具を摺動部材とともにレール部材のガイド孔に沿って展示ケースの奥側に摺動させて所定の照明位置まで復帰させることができる。
【００１５】
したがって、光源となる各種のランプの保守点検を容易に行えるだけでなく、従来技術のように、メンテナンス用扉を上方に跳ね上げて開放するといった作動空間は不要であり、展示ケース内の高さや容積を十分大きく確保することができる。
【００１６】
また、請求項２記載の発明によれば、請求項１記載の発明の効果に加えて、ガイド孔は下方に向けて突出する円弧状に形成されており、灯具はガイド孔の径方向外方側に位置するように摺動部材に取り付けられているので、灯具を摺動部材とともにレール部材のガイド孔に沿って展示ケースの手前側に摺動させると、灯具が展示ケースの外方に向いて傾斜するので、ランプの保守点検が容易になる。一方、灯具を摺動部材とともにレール部材のガイド孔に沿って展示ケースの奥側に摺動させると、灯具が展示ケースの内方に向いて傾斜するので、展示ケース内の斜め上方から展示物を照明することができる。よって、灯具の照明位置と保守点検位置との切り替えを極めて容易に行うことができる。
【００１７】
また、請求項３記載の発明によれば、請求項２記載の発明の効果に加えて、灯具は複数設けられるとともに、摺動部材同士がリンク部材を介して互いに連結されているので、複数の灯具を設けた場合にも、各灯具が互いに連動して各灯具の照明位置と保守点検位置との切り替えを極めて容易に行うことができる。
【００１８】
また、請求項４記載の発明によれば、請求項１ないし請求項３のいずれか１項に記載の発明の効果に加えて、灯具は摺動部材に対して揺動可能に固定されているので、個々の灯具の照明方向を個別に微調整することができ、展示物に対して常に適切な照明状態を保つことができる。
【発明を実施するための最良の形態】
【００１９】
以下、本発明の実施の形態について、図面を参照して詳しく説明する。図１は本発明の実施の形態における展示物照明装置の平面図、図２は同装置の側面図、図３は同装置の一部を示す正面図である。
【００２０】
この実施の形態の展示物照明装置は、観察用のガラスパネルが前面に設けられた展示ケース内に配置される美術工芸品や絵画などの展示物を照明するものであって、前後２つの灯具１を備え、各灯具１には光源となる蛍光灯や白熱灯などのランプ２が設けられており、これらの灯具１とランプ２とによって展示ケース内の展示物が斜め上方から照明される。なお、この実施の形態においても、図示していないが、図７の従来例に示した場合と同様に、展示ケースの前面の天井近傍には保守点検用の開閉扉が設けられており、この開閉扉と対向する位置に本発明の展示物照明装置が配置される。
【００２１】
以下、この実施の形態の展示物照明装置の構成についてさらに詳細に説明する。この展示物照明装置は、展示ケースの天井に前面側から奥側に沿って延設された左右一対のレール部材３を備える。各レール部材３は、天井Ｒから下方に向けて垂下された前後の垂下部３ａと、前後の垂下部３ａ間を結ぶように下方に向けて突出された円弧状のアーチ部３ｂとを有し、アーチ部３ｂには、その長手方向に沿って円弧状のガイド孔４が形成されている。
【００２２】
また、各左右のレール部材３間にわたって摺動部材として２本の摺動用連結バー６が架設されており、各摺動用連結バー６は、左右の両端部がそれぞれガイド孔４に挿通されるとともに、ナット７が螺合されている。これにより、各摺動用連結バー６は、ガイド孔４からの抜け出しが規制されるとともに、レール部材３に対して若干の摩擦抵抗をもってガイド孔４に沿って摺動できるようになっている。
【００２３】
また、前後の摺動用連結バー６同士は平板状のリンク部材８を介して互いに連結されている。すなわち、リンク部材８の前端部と後端部にはそれぞれ摺動用連結バー６が遊嵌され、これによって、前後の摺動用連結バー６が共にガイド孔４に沿って一体的に摺動する。
【００２４】
また、各リンク部材８の前部と後部とには、前後の摺動用連結バー６よりも内側の箇所に断面Ｌ字状のアングル９がそれぞれボルト１１とナット１２によって締結され、さらにこれらのアングル９に灯具１が一体的に固定されている。
【００２５】
すなわち、各灯具１は、左右のレール部材３間の長さよりも若干短尺でかつ下方が開口したフード状のもので、この灯具１の上部の左右両端にアングル９が溶接等によって一体固定されている。これにより、各灯具１は、ガイド孔４の径方向の外方側に位置した状態で、アングル９およびリンク部材８を介して摺動用連結バー６に連設されている。そして、各灯具１の開口部分の内側に光源としての蛍光灯や白熱灯などのランプ２が配設されている。
【００２６】
上記構成を有する展示物照明装置において、ランプ２の保守点検を行う際には、展示ケースの前面の天井近傍に設けられた図示しない保守点検用の開閉扉を開く。次に、図４に示すように、手前側の摺動用連結バー６がガイド孔４の終端の位置にまで到達するように、灯具１を展示ケースの手前に向けて摺動させて引き寄せる。この場合、ガイド孔４は下方に向けて突出する円弧状に形成され、かつ灯具１はガイド孔４の径方向外方側に位置するように設けられているので、灯具１を展示ケースの手前側に移動させると、灯具１が展示ケースの外方に向いて傾斜し、その結果、灯具１の開口部分が手前に向くので、簡単にランプ２の保守点検を行うことができる。
【００２７】
保守点検後は、図５に示すように、奥側の摺動用連結バー６がガイド孔４の終端の位置にまで到達するように、灯具１を展示ケースの奥側に向けて摺動させる。すると、灯具１が壁斜め方向に傾斜するので、展示ケース内の斜め上方から展示物を照明することができる。
【００２８】
このように、この実施の形態の展示物照明装置は、灯具１の照明位置と保守点検位置との切り替えを極めて容易に行うことができ、かつ、灯具１が保守点検位置に到達したときにはランプ２の保守点検を極めて簡単に行うことができる。しかも、従来技術のように、メンテナンス用扉を上方に跳ね上げて開放するための作動空間などは不要であり、展示ケース内の高さや容積を十分大きく確保することができる。
【００２９】
なお、各灯具１は、アングル９を介してリンク部材８にボルト１１とナット１２で固定されているので、奥側の摺動用連結バー６がガイド孔４の終端の位置にまで到達したときに、各灯具１の展示物に対する照明方向が適切でないことが分かった場合には、保守点検作業の場合と同様に、灯具１を展示ケースの手前に引き寄せてボルト１１とナット１２を緩めて個々の灯具１の照明方向を個別に変更することにより、展示物に対して最適な照明状態となるように微調整することができる。
【００３０】
また、この実施の形態では、灯具１をアングル９を介してリンク部材８にボルト１１とナット１２で固定した構成としているが、灯具１をアングル９を介して摺動用連結バー６に直接に固定した構成とすることも可能である。
【００３１】
さらに、この実施の形態では、灯具１を前後に２つ設けているが、灯具１を１つだけ設けることもでき、さらに３つ以上設けることも可能である。灯具１を１つだけ設ける場合には、リンク部材８は不要であり、また、摺動用連結バー６も１本あれば済むので、灯具１をアングル９を介して摺動用連結バー６に直接に固定した構成とすることができる。
【図面の簡単な説明】
【００３２】
【図１】本発明の実施の形態における展示物照明装置の平面図である。
【図２】同装置の側面図である。
【図３】同装置の一部を示す正面図である。
【図４】同装置において、光源の保守点検を行う場合の作用説明図である。
【図５】同装置において、展示物を照明する場合の作用説明図である。
【図６】同装置の変形例を示す説明図である。
【図７】展示ケース内に設けられた従来の展示物照明装置の配置状態を示す説明図である。
【符号の説明】
【００３３】
１    灯具
２    ランプ（光源）
３    レール部材
４    ガイド孔
６    摺動用連結バー（摺動部材）
８    リンク部材
【図１】
2010033828.tif 000003
【図２】
2010033828.tif 000004
【図３】
2010033828.tif 000005
【図４】
2010033828.tif 000006
【図５】
2010033828.tif 000007
【図６】
2010033828.tif 000008
【図７】
2010033828.tif 000009